(57)【特許請求の範囲】
【請求項１】
ロール紙を繰り出す繰り出し手段と、前記繰り出し手段から繰り出された前記ロール紙の一方の面、前記ロール紙の他方の面、または前記ロール紙の両面のいずれかにトナー像を形成する画像形成部と、前記ロール紙の一方の面に形成されたトナー像を定着する加熱ローラを含んだ第一定着部と、ロール紙の他方の面に形成されたトナー像を定着する加熱ローラを含んだ第二定着部とからなる定着部と、前記定着部でトナー像を定着した前記ロール紙を繰り出す搬送手段とを有し、
前記第一定着部の加熱ローラと前記第二定着部の加熱ローラは、該各加熱ローラの半周面に前記ロール紙が巻き付くように配置し、
さらに、前記第一定着部と前記第二定着部には、前記各加熱ローラと該各加熱ローラに略巻き付く前記ロール紙との間に風を送り込む送風手段が設けられ、
前記各加熱ローラに前記ロール紙が巻きついた側には、前記ロール紙を前記各加熱ローラから吸引する吸引手段が設けられ、
前記ロール紙は、前記繰り出し手段と前記第一定着部と前記第二定着部と前記搬送手段とにより、一定の張力をもって搬送され、
前記搬送手段には、前記ロール紙の一定の張力の解除および復帰を行う解除機構が設けられたことを特徴とする画像形成装置。
【請求項２】
前記搬送手段は、どちらか一方の前記加熱ローラに前記ロール紙を巻き付けるために、前記ロール紙に一定の張力を作用させる二つ以上のローラと、前記トナー像が定着された前記ロール紙を一定圧で送り出す搬送ローラ対とを有することを特徴とする請求項１記載の画像形成装置。
【請求項３】
前記解除機構は、前記各加熱ローラに設けられ、該加熱ローラを所定位置に解除および復帰させるローラ移動部と、前記定着部から搬送された前記ロール紙の張力を解除および復帰させる押圧部と、装置の停止時または作動時に、前記ローラ移動部と前記押圧部を作動させる連動部とを有し、
前記連動部は、装置の停止時に、前記ローラ移動部による前記各加熱ローラの所定位置からの解除、前記押圧部による前記ロール紙の張力の解除を行うとともに、前記吸引手段の吸引および前記送風手段の送風を作動させることを特徴とする請求項１記載の画像形成装置。
【発明の詳細な説明】
【技術分野】
【０００１】
本発明は、ロール紙等の転写材の片面または両面に転写されたトナー像を定着する定着装置を備えた画像形成装置に関するものである。
【背景技術】
【０００２】
ロール紙等の転写材の片面または両面に転写されたトナー像を定着する定着装置を備えた画像形成装置の構成として、例えば、特許文献１、２の構成がある。
【０００３】
この構成は、特許文献１では、特許文献１の図１から４の図示のように、作造装置１、２、３、４によって正帯電した黒トナー１５、マゼンダトナー１６、シアントナー１７、イエロートナー１８を用紙１４の表面に転写した後、ヒートロール２３、２４により、用紙１４に各色のトナーを一括しいて定着するものである。
【０００４】
さらに、特許文献２は、図１に示すように、連続紙４の一方の面に形成されたトナー像または両面に形成されたトナー像を定着できるように、加熱ロール１と加圧ロール２とからなる定着装置と、感光体８と、転写器９とからなる画像形成装置を二つ配置し、連続紙４の両面を定着する場合、最初に一方の面を定着した後に、他方の面を定着するものである。
【特許文献１】特開平１０−２０７１３３号公報
【特許文献２】特開２００４−２５８５６８号公報
【発明の開示】
【発明が解決しようとする課題】
【０００５】
しかし、このような構成は、以下のような問題がある。特許文献１は、片面または両面を一括定着する構成であるため、ヒートロール２３、２４に送られた用紙１４は、ヒートロール２３、２４の熱により用紙１４に含まれる水分が蒸発し、僅かに用紙１４が収縮が発生する。この結果、定着装置側にロール紙が引っ張られやすくなり、トナー画像の転写位置がずれてしまうという問題が生じる。
【０００６】
また、特許文献２は、図１に示すように、連続紙４の両面を定着する場合、連続紙４の一方の面に転写されたトナー画像を定着した時の熱がこもった状態で、連続紙４の他方の面にトナー画像を転写する画像形成装置に搬送されるため、その熱が感光体８やその周辺に配置される器機に影響を与えてしまう。この結果、例えば、感光体等が比較的早く劣化するという問題を伴う。
【０００７】
さらに、特許文献２の問題を解決する構成として、画像形成装置を充分に離した状態（具体的は、続紙４の一方に定着した時の熱が取れた状態）で配置することが考えられるが、装置全体が大型化してしまう。
【課題を解決するための手段】
【０００８】
上記問題を解決するために、本発明は、ロール紙を繰り出す繰り出し手段と、繰り出し手段から繰り出されたロール紙の一方の面、ロール紙の他方の面、またはロール紙の両面のいずれかにトナー像を形成する画像形成部と、ロール紙の一方の面に形成されたトナー像を定着する加熱ローラを含んだ第一定着部と、ロール紙の他方の面に形成されたトナー像を定着する加熱ローラを含んだ第二定着部とからなる定着部と、定着部でトナー像を定着したロール紙を繰り出す搬送手段とを有し、第一定着部の加熱ローラと第二定着部の加熱ローラは、該各加熱ローラの半周面にロール紙が巻き付くように配置し、さらに、第一定着部と第二定着部には、各加熱ローラと該各加熱ローラに略巻き付くロール紙との間に風を送り込む送風手段が設けられ、各加熱ローラにロール紙が巻きついた側には、ロール紙を各加熱ローラから吸引する吸引手段が設けられ、ロール紙は、繰り出し手段と第一定着部と第二定着部と搬送手段とにより、一定の張力をもって搬送され、搬送手段には、ロール紙の一定の張力の解除および復帰を行う解除機構が設けられたことを特徴とする。
【０００９】
また、請求項２に係る発明は、搬送手段は、どちらか一方の加熱ローラにロール紙を巻き付けるために、ロール紙に一定の張力を作用させる二つ以上のローラと、トナー像が定着されたロール紙を一定圧で送り出す搬送ローラ対とを有することを特徴とする。
【００１０】
さらに、請求項３に係る発明は、解除機構は、各加熱ローラに設けられ、該加熱ローラを所定位置に解除および復帰させるローラ移動部と、定着部から搬送されたロール紙の張力を解除および復帰させる押圧部と、装置の停止時または作動時に、ローラ移動部と押圧部を作動させる連動部とを有し、連動部は、装置の停止時に、ローラ移動部による各加熱ローラの所定位置からの解除、押圧部によるロール紙の張力の解除を行うとともに、吸引手段の吸引および送風手段の送風を作動させることを特徴とする。
【発明の効果】
【００１１】
本発明の画像形成装置は、ロール紙は、繰り出し手段と第一定着部と第二定着部と搬送手段とにより、一定の張力をもって搬送させ、さらに、搬送手段には、ロール紙の一定の張力の解除および復帰を行う解除機構を設ける構成とする。この構成のもと、第一定着部と第二定着部は、加熱ローラで構成し、加熱ローラの半周面にロール紙が巻き付くように配置する。この配置により、ロール紙の加熱ローラに対する接触面積が拡大され、確実に定着を行うことができる。特に、加熱ローラを同一の構成とすることにより、ロール紙に転写されたトナー像を均一に定着することができる。
【００１２】
また、ロール紙の加熱ローラに対する接触面積が拡大されることから、加熱ローラの熱が外部に逃げることが少なくなり、加熱ローラの温度を、トナー画像の転写位置に影響を与えない程度に縮みを抑えることができる。
【００１３】
さらに、各加熱ローラに送風手段を設け、ロール紙のジャム処理等の時、加熱ローラと加熱ローラに巻き付くロール紙との間に風を送り込むことにより、加熱ローラに巻き付いたロール紙を加熱ローラから分離され、容易にロール紙のジャム処理等を行うことができる。
【００１４】
また、解除機構をローラ移動部と押圧部と連動部とにより構成するとともに、各加熱ローラにロール紙が巻きついた側には、ロール紙を前記各加熱ローラから吸引する吸引手段を設け、例えば、ジャム処理等が発生し装置が停止した時に、連動部を作動させて、ローラ移動部により加圧ローラを所定位置から解除するとともに押圧部によりロール紙の張力を解除して、加熱ローラと加熱ローラに巻き付くロール紙との間に風を送り込むとともに吸引手段により送風手段を作動して加熱ローラに巻き付いたロール紙を加熱ローラから吸引する。これにより、より確実に、加熱ローラに巻き付いたロール紙を加熱ローラから分離され、容易にロール紙のジャム処理等を行うことができる。
【図面の簡単な説明】
【００１５】
【図１】本発明の画像形成装置の概略図。
【図２】定着部の詳細を示す図。
【発明を実施するための形態】
【００１６】
以下、図を用いて、本発明の実施の形態を説明する。図１は、本発明の画像形成装置の概略を示す。先ず、本発明の画像形成装置は、図示しない供給手段からロール紙Ｐを繰り出す繰り出し手段１００と、ロール紙Ｐにトナー像を転写する画像形成部２００と、ロール紙Ｐに転写したトナー像を定着する定着部３００と、定着したロール紙Ｐを搬送する搬送手段とからなる。ロール紙Ｐは、繰り出し手段１００と、画像形成部２００と、定着部３００と、搬送手段４００とにより、一定の張力をもって搬送される。
【００１７】
繰り出し手段１００は、一対のローラからなり、ロール紙Ｐを画像形成部２００側に繰り出している時に、ロール紙Ｐがずれたり、滑ったりしないように、一定の接触圧をもってロール紙Ｐを挟持している。
【００１８】
さらに、繰り出し手段１００と画像形成部２００との間には補助搬送ローラ１１０が設けられている。補助搬送ローラ１１０は、後に述べるロール紙Ｐ付勢手段１２０と協働して、繰り出し手段１００から定着部３００を移動するロール紙Ｐに一定の張力を与えるものである。
【００１９】
画像形成部２００は、繰り出し手段１００から繰り出されたロール紙Ｐの一方の面、前記ロール紙Ｐの他方の面、または前記ロール紙Ｐの両面のいずれかにトナー像を形成するものである。
【００２０】
具体的に述べると、画像形成部２００は、カラー画像を形成するものであり、ロール紙Ｐの表面（図で見て下面）にカラー画像を形成するための第一の画像形成部２１０とロール紙Ｐの裏面（図で見て上面）にカラー画像を形成する第二の画像形成部２２０とからなる。
【００２１】
また、第一の画像形成部２１０の転写位置から解除する（ロール紙Ｐの表面にカラートナー（トナー）像を転写しない）場合には、ロール紙Ｐが一定の張力を保った状態で、補助ローラ１１０が第一の画像形成部２１０から離間するように構成されている。
【００２２】
図示のように第一の画像形成部２１０と第二の画像形成部２２０とはほぼ左右対称の構成をなしており、第一の画像形成部２１０が、中間転写ベルト２１１に対して、下から順に、ブラック（ＢＫ）、シアン（Ｃ）、マゼンタ（Ｍ）、イエロー（Ｙ）の画像を形成され、中間転写ベルト２１１の頂上部（第１支持手段）においてそこに形成されたカラー画像をロール紙Ｐの表面に転写する。
【００２３】
さらに、第二の画像形成部２２０は中間転写ベルト２２１に対して、上から順にブラック（ＢＫ）、シアン（Ｃ）、マゼンタ（Ｍ）、イエロー（Ｙ）の画像が形成され、中間転写ベルトの下端においてロール紙Ｐの裏面に画像が転写される。
【００２４】
なお、この実施の形態において、画像の形成は、上から順にブラック（ＢＫ）、シアン（Ｃ）、マゼンタ（Ｍ）、イエロー（Ｙ）となっているが、これに限定されることはなくイエロー（Ｙ）、マゼンタ（Ｍ）、シアン（Ｃ）、ブラック（ＢＫ）としてもよい。
【００２５】
各色のトナー像を形成する感光ドラムＢＫ１、Ｃ１、Ｍ１、Ｙ１並びにＢＫ２、Ｃ２、Ｍ２、Ｙ２は、使用するトナーの色（Ｙ、Ｍ、Ｃ、ＢＫ）並びに帯電、転写等の各種の設定値が異なることを除いては、物理的にはほぼ同じ構成からなる。
【００２６】
このため以下においては第一の画像形成部２１０の黒色トナー用の感光体ＢＫ１への黒色画像の形成について、その周囲に配置された画像形成機器について説明するが、その他の感光ドラムＹ１、Ｍ１、Ｃ１、Ｙ２、Ｍ２、Ｃ２、ＢＫ２の周囲にも同様な画像形成機器が配置されている。
【００２７】
感光ドラムＹ１はＯＰＣ感光体、アモルファスシリコン感光体等の周知の感光体をアルミニウム等の円筒基体の表面に設けた構成よりなり、図１で見て、作動時には時計方向に所定の速度で回転する。
【００２８】
図1中で図示されてないが、感光ドラムＹ１の周囲に作動順に、感光ドラムＹ１上の残留電荷を除去するイレーサランプ、感光ドラムＹ１の表面を特定極性に一様に帯電するコロナ帯電器、帯電された感光ドラムＹ１の表面に黒色信号に応じたデジタル光信号を投射することにより所望の情報に基づいた静電潜像を形成するためのＬＥＤ露光装置、感光ドラムＹ１の表面に形成された静電潜像を黒色トナーにより現像する現像装置、中間転写ベルトの背面側からトナーと逆極性の帯電を行うことにより感光ドラムＹ１上に形成されたトナー像を中間転写ベルト２１１の表面に転写する転写ローラ（または転写コロナ放電器）、転写後に感光ドラムＹ１表面上に残留するトナー粉体を除去するためのクリーナーが配置されている。
【００２９】
感光ドラムＣ１、Ｍ１、ＢＫ１についても、感光ドラムＹ１と同様に上記したイレーサランプ、コロナ帯電器、露光装置、現像装置、転写ローラ、クリーナーがそれぞれ設けられているが、それぞれが形成するトナー像の色が異なり、感光ドラムＹ１についてはＣ１についてはシアン、Ｍ１についてはマゼンタ、ＢＫ１については黒のそれぞれの色に対応した色画像信号に基づく露光と、対応する色のトナーが用いられている。
【００３０】
各中間転写ベルト（２１１、２２１）は幅広のエンドレスベルトよりなり、後に述べる支持手段（２３０、２４０）により支持され、画像形成時には反時計方向に各感光ドラムＢＫ１、Ｃ１、Ｍ１、Ｙ１の周速と同速度で移動する。
【００３１】
この移動に伴い、中間転写ベルト２１１の表面に、感光ドラムＢＫ１に形成された黒色のトナー像が、次いで感光ドラムＣ１、Ｍ１、Ｙ１のそれぞれに形成されたシアン色トナー像、マゼンタ色のトナー像、イエロー色のトナー像が順に転写されて積層されてフルカラートナー画像またはマルチカラートナー画像が形成される。なお、以下において、フルカラートナー画像およびマルチカラートナー画像をトナー画像と呼ぶ。
【００３２】
支持手段（２３０、２４０）は、図１に示すように、第１支持手段（２３１、２４１）と第２支持手段（２３２、２４２）とからなり、上下に間隔を隔てて設けられている。第１支持手段（２３１、２４１）はローラからなる。第２支持手段（２３２、２４２）は、第１支持手段（２３１、２４１）と向かい合う頂部ローラ（２３１ａ、２４１ａ）と、中間転写ベルト（２１１、２２１）に一定のテンションをかけるための二つの補助ローラ（（２３２ａ、２３２ｂ）、（２４２ａ、２４２ｂ））とからなる。
【００３３】
第一の画像形成部２１０側の転写手段２１２および第二の画像形成部２２０の転写手段２２２は、図示しないバイアス電源に連結されており、画像形成時に所定の転写バイアスが印加される転写装置(転写帯電器) と剥離装置(除電帯電器)を含む。さらに、第二の画像形成部２２０側の転写装置(転写帯電器)および剥離装置(除電帯電器)は、コロナワイヤとコロナワイヤを覆うコロナハウスからなる。
【００３４】
第一の画像形成部２１０側の転写手段２１２および第二の画像形成部２２０側の転写手段２２２は、トナー担持面から離れる方向に退避させる接離手段２１３が設けられている（第二の画像形成部２２０側の転写手段には図示せず）。具体的に、第一の画像形成部２１０側の接離手段２１３は、転写手段２１２および各案内ローラ（２１５ａ、２１５ｂ）を枠体に取り付け、所定の範囲で揺動するように、その枠体を図示しない装置のフレームに軸支されている。
【００３５】
このように、接離手段２１３は、各々ロール紙Ｐの表裏面にトナー画像を転写する転写位置からこれら転写手段を各々独立してまたは連動して若しくは同期解除するものである。この構成により、ロール紙Ｐの一方の面またはロール紙Ｐの両面のいずれかを選択して、ロール紙Ｐに画像を出力することができる。
【００３６】
ロール紙付勢手段１２０は、繰り出し手段１００と定着部３００との間を移動するロール紙Ｐに適宜のテンションを与えて、ロール紙Ｐのたるみをなくすものであり、第一の画像形成部２１０と第二の画像形成部２２０との間に設けられている。ロール紙付勢手段１２０はアーム部１２１とフレーム部１２２とからなる。
【００３７】
アーム部１２１の一端側には当接ローラ１２３が設けられている。一方、アーム部１２１の他端はフレーム部１２２に取り付けられている。フレーム部１２２は、先に述べたように装置（図示せず）のフレームに取り付けられる側板１２２ａと、側板１２２ａの上面を覆い、側板１１２ａ間を橋渡す天板１２２ｂと、側板１１２ａ間に軸支された固定ローラ１２２ｃとからなる。
【００３８】
定着部３００は、画像形成部２００でどちらかロール紙Ｐの一方の面またはロール紙Ｐの両面に転写されたカラートナー像（トナー像）を定着するものである。具体的に、図２に示すように定着部３００は、第一定着部３１０と第二定着部３２０と搬送手段４００とからなる。トナー像が転写されたロール紙Ｐは、第一定着部３１０と第二定着部３２０と搬送手段４００とにより、一定の張力をもって搬送される。
【００３９】
定着部３００は、ロール紙Ｐの表面に転写されたトナー像を定着する第一定着部３１０と、ロール紙Ｐの裏面に転写されたトナー像を定着する第二定着部３２０とから構成される。さらに第一定着部３１０、第二定着部３２０は、熱伝導性の良い、例えばアルミニウム製の円筒管からなり、内部にインフラレッドランプ（又はハロゲンランプ）等の加熱手段（３１１、３２１）を備え、外周が、テフロン（登録商標）被膜が形成された加熱ローラ（３１０、３２０）からなる。また、第一定着部３１０、第二定着部３２０は、各々、後に述べる解除機構５００を構成するローラ移動部５１０に設けられている。
【００４０】
第一定着部３１０と第二定着部３２０は、各々がこの略半周にロール紙Ｐ２が巻き付くように配置されている。この配置により、特許文献１、特許文献２等に記載されている定着装置よりも、ロール紙Ｐと各定着部３００との接触面積が増えて、加熱手段３１１の熱を効率よくトナー像の定着に供することができる。
【００４１】
また、特許文献１、特許文献２等に記載されている定着装置は、ローラのニップ間で定着するため、加熱手段３１１の熱はニップ部位以外の各定着部３００周辺から外部に逃げてしまう。そのため、これらの特許文献１、２等の構成は、加熱ローラ内の温度を一定に保つために、必要以上に加熱温度の熱を高く設定する必要がある。
【００４２】
この結果、ローラのニップ間では、必要以上に温度が高くなり、定着時にロール紙Ｐの水分が必要以上に蒸発して、トナー画像の転写位置がずれてしまう。この点に関して、本発明は、各加熱ローラ（３１２、３２２）の略半周にロール紙Ｐが巻き付き、ロール紙Ｐと各定着部３００との接触面積が増えるため、特許文献１、特許文献２等に記載されているように必要以上に温度を高くする設定がなく、加熱ローラ（３１２、３２２）の温度を、トナー画像の転写位置に影響を与えない程度に縮みを抑えることができる。
【００４３】
さらに、第一定着部３１０と第二定着部３２０の各周囲には、離型剤供給装置８００と送風手段６００と吸引手段７００とが設けられている。離型剤供給装置８００は、加熱ローラ（３１２、３２２）の表面に付着したトナー等の残留物を除去するとともに、加熱ローラ（３１２、３２２）の表面に離型剤を塗布するものである。
【００４４】
図２に示すように、離型剤供給装置８００はローラ移動部５１０に着脱自在に設けられ、第一定着部３１０と第二定着部３２０とこれに対応する各離型剤供給装置８００がユニット化されている。
【００４５】
具体的に、離型剤供給装置８００は加熱ローラ（３１２、３２２）の周面に接触するウェブ８１０と、このウェブ８１０を加熱ローラ（３１２、３２２）に沿って送り出す送り出しローラと、送り出しローラにより送り出されたウェブ８１０を巻き取る巻取りローラと、加熱ローラ（３１２、３２２）の周面にウェブ８１０を押圧する押し当て手段とを備えて構成されている（符号は省略）。ウェブ８１０は、不織布の帯状材であって、予め離型剤が含浸されている。
【００４６】
送風手段６００は、装置が停止した時に加熱ローラ（３１２、３２２）（第一定着部３１０、第二定着部３２０）とロール紙Ｐとの間に風を送り込み、加熱ローラ（３１２、３２２）（第一定着部３１０、第二定着部３２０）の表面に吸着したロール紙Ｐを加熱ローラ（３１２、３２２）（第一定着部３１０、第二定着部３２０）の表面から分離するものである。
【００４７】
この構成により、ロール紙Ｐのジャム処理等の時、加熱ローラ（３１２、３２２）（第一定着部３１０、第二定着部３２０）と加熱ローラ（３１２、３２２）（第一定着部３１０、第二定着部３２０）に巻き付くロール紙Ｐとの間に風を送り込むことにより、加熱ローラ（３１２、３２２）（第一定着部３１０、第二定着部３２０）に巻き付いたロール紙Ｐを加熱ローラ（３１２、３２２）（第一定着部３１０、第二定着部３２０）から分離され、容易にロール紙Ｐのジャム処理等を行うことができる。
【００４８】
吸引手段７００は、装置が停止した時に、ロール紙Ｐを加熱ローラ（３１２、３２２）から吸引するものであり、各加熱ローラ（３１２、３２２）にロール紙Ｐが巻きついた側に設けられている。この吸引手段７００と送風手段６００により、第一定着部３１０および第二定着部３２０に巻き付いたロール紙Ｐを効率よく分離することができる。
【００４９】
搬送手段４００は、どちらか一方の加熱ローラ（３１２、３２２）にロール紙Ｐを巻き付けるために、ロール紙Ｐに一定の張力を作用させる二つ以上のローラ４１０と、トナー像が定着されたロール紙Ｐを一定圧で送り出す搬送ローラ対４２０とからなる。
【００５０】
解除機構５００は、装置が停止した時に、ロール紙Ｐに作用する張力を解除するものである。解除機構５００は、ローラ移動部５１０と押圧部５２０と連動部５３０とからなる。
【００５１】
ローラ移動部５１０は、第一定着部３１０及び第二定着部３２０を所定位置に解除および復帰させるもので、具体的には、第一定着部３１０および第二定着部３２０を各々収容する枠体５１１と、枠体５１１を移動させるスライドレール５１２と、枠体５１１に取り付けられ、第一定着部３１０および第二定着部３２０を所定の方向に付勢させる付勢手段５１３とからなる。
【００５２】
スライドレール５１２は、図示しない装置の筐体内に設けられ枠体５１１の移動を所定方向に導くガイド部５１４と、枠体５１１に設けられ枠体５１１をガイド部５１４に沿って移動させるガイド受部５１５とからなる。付勢手段５１３は、常に、ロール紙Ｐと加熱ローラ（３１２、３２２）とが接触する方向と反対側に枠体５１１が移動する方向に作用する。このため、装置の作動中は、後に述べる連動部５３０により、各加熱ローラ（３１２、３２２）が所定位置に固定されている。
【００５３】
押圧部５２０は、定着部３００から搬送されたロール紙Ｐの張力を解除および復帰させるものであり、搬送ローラ対４２０側に配置されたローラ４１０に設けられている。押圧部５２０は、具体的には、ローラ４１０を軸支した取付部５２１と、一定の方向にローラ４１０の移動を導く第二ガイド部５１４と、ロール紙Ｐの張力を解除した時にローラの急激な移動を防止するブレーキ５２３とからなる。また、押圧部５２０は、不必要なロール紙Ｐの押圧および脱落の防止のために図示されていない規制部が設けられている。
【００５４】
ブレーキ５２３は、周面にゴム等の弾性体が設けられたワンウェイクラッチ５２４と、ワンウェイクラッチ５２４と同様に周面にゴム等の弾性体が設けられたダンパローラ５２５とからなる。ワンウェイクラッチ５２４は、弾性体が取付部５２１に押圧し、取付部５２１が下方にシフトする時には回転しないように構成されている。これにより、取付部５２１の急激な下方へのシフトを防止している。また、ダンパローラ５２５は、ワンウェイクラッチ５２４の弾性体に押圧するように配置し、ブレーキ５２３の作用効果を強化している。
【００５５】
取付部５２１は、薄板の金属板を枠状に形成したものであり、後に述べる連動部５３０の駆動を取付部５２１に伝達するラックが設けられている。さらに、取付部５２１の両側は、第二ガイド部に嵌合するように形成されている。また、ブレーキ５２３は取付部５２１に当接し、後に述べる連動部５３０の作用が解除された時に、取付部５２１の自重を受け、取付部５２１をゆっくりと移動するように構成されている。
【００５６】
なお、ゆっくりと移動するというという『ゆっくり』の程度は、具体的には、連動部５３０の作用が解除され、図２に示すように、取付部５２１が下方にシフトしたときに、取付部５２１と図示しない規制部とがぶつかり大きな衝突音が生じない程度をいう。この構成により、取付部５２１の自重が、取付部５２１が、取付部５２１の自重がかかった状態で図示しない規制部に衝突することがなくなり、取付部５２１、または規制部の破損を防止することができる。
【００５７】
連動部５３０は、第一定着部３１０の枠体５１１、第二定着部３２０の枠体５１１、押圧部５２０に、各々設けられ、装置の停止時または作動時に、各加熱ローラ（３１２、３２２）および取付部５２１を所定位置に解除および復帰させるものである。連動部５３０は駆動部５３１と伝達部５３２とからなる。
【００５８】
駆動部５３１は、加熱ローラ（３１２、３２２）および取付部５２１を所定位置に解除および復帰行う動力源となるものであり、具体的には、駆動軸５３３を備えたモータである。伝達部５３２は、各駆動部５３１の駆動を、各駆動部５３１に対応した加熱ローラ（３１２、３２２）および取付部５２１に、伝達するものであり、駆動軸５３３に取り付けられた駆動ギア５３４と、クラッチギア５３５とからなる。
【００５９】
クラッチギア５３５は、第一定着部３１０のガイド受部５１５、第二定着部３２０のガイド受部５１５、取付部５２１のラックに対し、駆動部５３１の駆動の伝達を接離するものである。なお、クラッチギア５３５の接離は、装置の停止・作動したことを検出した図示しない制御手段により行われている。
【００６０】
以上の構成のもと、本発明の動作を説明する。先ず、ロール紙Ｐのジャム等で装置が停止したことを制御手段が判定すると、制御手段は、取付部５２１のクラッチギア５３５を作動させて、駆動源からの駆動の伝達を切る。駆動源の駆動力の伝達を切ることにより、取付部５２１の自重により、下方にシフトする。この時、取付部５２１のシフトはブレーキ５２３の作用により図示しない規制部に突き当たるまでゆっくりと下方に移動する。
【００６１】
なお、この実施例では、説明しないが、先に述べた動作中には、補助ローラ１１０を第一の画像形成部２１０から離間し、さらに、第二の画像形成部２２０側の転写手段を所定位置から離間させている。これにより、取付部５２１に軸支されたローラも所定位置から下方にシフトし、ロール紙Ｐに押圧部５２０が押圧した状態が解除され、ロール紙Ｐの張力が解かれる。さらに、各加熱ローラ（３１２、３２２）、すなわち、第一定着部３１０と第二定着部３２０にロール紙Ｐが巻き付いた状態が僅かに緩む。
【００６２】
さらに、上記の動作後、または略同時に、第一定着部３１０のクラッチギア５３５および第二定着部３２０のクラッチギア５３５を切る。各クラッチギア５３５は、クラッチギア５３５に対応した駆動源の駆動力が伝達されなくなる。この時、第一定着部３１０の枠体５１１および第二定着部３２０の枠体５１１の各々は、付勢手段５１３の付勢力がロール紙Ｐが巻き付いた方向（矢印方法）と逆に働く。この作用により、枠体５１１は、規制部に当接するまでスライドレール５１２に沿って移動する。
【００６３】
この移動により、第一定着部３１０および第二定着部３２０に設けられた加熱ローラ（３１２、３２２）は、所定位置から解除され、確実にロール紙Ｐの張力が解かれる。さらに、加熱ローラ（３１２、３２２）の移動開始時またはその途中あるいは、取付部５２１のクラッチギア５３５を駆動源の駆動を切った時、送風手段６００および吸引手段７００を作動させる。
【００６４】
送風手段６００は、巻き付けられた加熱ローラ（３１２、３２２）とロール紙Ｐとの間に風を送り込むとともに、吸引手段７００は、加熱ローラ（３１２、３２２）に巻き付いたロール紙Ｐの部位を風を送る反対側から吸引して、ロール紙Ｐを加熱ローラ（３１２、３２２）から分離する。
【００６５】
送風手段６００と吸引手段７００を作動している間、付勢手段５１３の付勢力により、加熱ローラ（３１２、３２２）は、ロール紙Ｐが巻き付いていた所定位置からロール紙Ｐに張力が作用しない位置に移動するため、ロール紙Ｐが吸引手段７００に吸引しやすくなる。
【００６６】
加熱ローラ（３１２、３２２）から分離したロール紙Ｐは装置内から取り除かれジャム処理が完了する。この後、再度、ロール紙Ｐを各加熱ローラ（３１２、３２２）、搬送ローラに掛け渡し、クラッチギア５３５により駆動部５３１の駆動の伝達を繋げ、駆動部５３１を作動させる。
【００６７】
これと略同時に制御手段は、第一定着部３１０および第二定着部３２０の各々のクラッチギア５３５を駆動ギア５３４に繋げて、駆動部５３１の駆動を枠体５１１に伝達させるようにする。各駆動部５３１が駆動すると、その駆動は、駆動ギア５３４、クラッチギア５３５に伝達される。
【００６８】
この伝達は、ラックにより回転運動から直線運動に変換されて枠体５１１が移動して、加熱ローラ（３１２、３２２）が所定位置に復帰するまで行う。この動作により、押圧部５２０、第一定着部３１０、第二定着部３２０が所定位置に復帰し、ロール紙Ｐに張力が作用した状態となる。
【符号の説明】
【００６９】
１００  繰り出し手段
２００  画像形成部
３００  定着部
４００  搬送手段
５００  解除機構
６００  送風手段
７００  吸引手段
Ｐ  ロール紙
【図１】
0005492673.tif 000002
【図２】
0005492673.tif 000003